(57)【特許請求の範囲】
【請求項１】
横材と、縦材と、見込材を備え、横材は長手方向にネジ止め自在部を有し、前後かつ上下に並んでおり、見込材は上下かつ左右に並んでおり、縦材は、上下に隣接する見込材の前端同士又は後端同士を連結して見込材と一体に形成してあると共に、左右に隣接する縦材の前後位置が異なる部分を有しており、縦材と見込材とのコーナー部に被ネジ止め部が設けてあり、ネジ止め自在部と被ネジ止め部をネジで固定することにより前後の横材同士を連結してあることを特徴とするパネル体。
【発明の詳細な説明】
【技術分野】
【０００１】
本発明は、住宅に設置するフェンスなどとして用いられるパネル体に関する。
【背景技術】
【０００２】
住宅の敷地と道路の境界を仕切るものとして、従来、直方体形のコンクリートブロックを積み重ねて構成したブロック塀が用いられている。
【発明の概要】
【発明が解決しようとする課題】
【０００３】
しかしながら、このようなブロック塀に、ポストやインターホンなどのアイテムを取り付ける場合、ブロック塀の側面に孔を開けるなどの大掛かりな作業が必要となる点が問題であった。
【０００４】
本発明は、上記事情を鑑みたものであり、種々のアイテムの取り付けが容易なパネル体を提供することを目的とする。
【課題を解決するための手段】
【０００５】
本発明のうち請求項１の発明は、横材と、縦材と、見込材を備え、横材は長手方向にネジ止め自在部を有し、前後かつ上下に並んでおり、見込材は上下かつ左右に並んでおり、縦材は、上下に隣接する見込材の前端同士又は後端同士を連結して見込材と一体に形成してあると共に、左右に隣接する縦材の前後位置が異なる部分を有しており、縦材と見込材とのコーナー部に被ネジ止め部が設けてあり、ネジ止め自在部と被ネジ止め部をネジで固定することにより前後の横材同士を連結してあることを特徴とする。
【発明の効果】
【０００６】
本発明によれば、横材、縦材又は見込材にフックなどを掛けて、容易に種々のアイテムを取り付けることができる。また、見込材を有し見込方向に厚さのある構造なので、その見込幅内の空間を活用できる。すなわち、横材と縦材と見込材により直方体形のブロックの輪郭をかたどった形状となり、前後の横材や左右の見込材に板状の部材を渡し掛ける、直方体形のブロックの輪郭内の空間部に箱状の部材を納めるなどして、容易に種々のアイテムを取り付けることができる。そして、視線が遮断されないので圧迫感がなく、風通しもよい。また、左右に隣接する縦材の前後位置が異なる部分を有するので、縦材の本数を少なくすることができ、その場合でも高い剛性を確保できる。
【図面の簡単な説明】
【０００７】
【図１】第一実施形態の斜視図である。
【図２】第一実施形態を示し、（ａ）は平面図、（ｂ）は正面図、（ｃ）は側面図である。
【図３】横材の構造を示す縦断面図である。
【図４】第一実施形態の組み立て方を示す分解斜視図である。
【図５】第一実施形態の使用例を示す説明図である。
【図６】第二実施形態を示し、（ａ）は斜視図、（ｂ）は設置面への固定部を示す縦断面図である。
【図７】第三実施形態の斜視図である。
【図８】第四実施形態の斜視図である。
【図９】第五実施形態の斜視図である。
【図１０】第六実施形態の斜視図である。
【図１１】第三比較例の斜視図である。
【図１２】第七実施形態の斜視図である。
【図１３】第一比較例の斜視図である。
【図１４】第二比較例の斜視図である。
【発明を実施するための形態】
【０００８】
以下、本発明の実施の形態を図面に基づいて説明する。このパネル体の第一実施形態は、図１及び図２に示すように、複数の横材１と、複数の縦見込材４からなるものであり、縦見込材４は、縦材部（縦材）２と見込材部（見込材）３からなり両者を一体に形成したものである。横材１は、左右方向に延びる部材であり、前後二列かつ上下に等間隔に並んでいる。また、縦見込材４は、縦材部２が上下方向に延び、見込材部３が前後方向に延びるものであって、見込材部３が上下に並び、縦材部２が上下に隣接する見込材部３の前端同士又は後端同士を連結していて、上下に隣接する縦材部２の前後位置が互い違いになっている。すなわち、縦見込材４は、縦材部２と見込材部３からなるクランク部Ｃ（図中の斜線部）を上下方向に複数形成した形状となっている（一本の縦材部２を共有して上側に延びるクランク部Ｃと下側に延びるクランク部Ｃを想定すれば、縦材部２は上下に少なくとも三本以上並んでいることになる）。そして、この縦見込材４を左右に並べてあるが、左右に隣接する縦見込材４の前後方向の向きが逆向きになるようにしてあり、すなわち、上下の各段において、左右に隣接する縦見込材４の縦材部２の前後位置が異なる。さらに、このように左右に並ぶ各縦見込材４の見込材部３の前端同士を、前側の列の横材１で連結してあり、各縦見込材４の見込材部３の後端同士を、後側の列の横材１で連結してある。このようにして構成したパネル体は、見込材部３が上下かつ左右に並び、左右に隣接する縦材部２の前後位置が互い違いになっている。そして、図１及び図２においてクロスハッチングで示したように、横材１と、縦材部２と、見込材部３とで囲まれた直方体形の空間部Ｓが形成される（後側の縦辺のみ部材が存在しない）。この一つの空間部Ｓは、一般にブロック塀などに用いられるコンクリートブロックと同等の大きさであり、パネル体はこの空間部Ｓを馬目地状に積み上げた形状となっている。すなわち、このパネル体は、横材１と縦材部２と見込材部３とで、ブロック塀のコンクリートブロックの輪郭をかたどっており、輪郭内に空間部Ｓを有する。なお、図１及び図２に示す例では、横材１は上下に五本ずつ並べてあり、縦見込材４は四本の縦材部２と五本の見込材部３からなるものであって、これを左右に七本並べてあり、これらによりパネル体の一つのユニットが形成されている。そして、図２に示す例では、複数のユニットを左右に並べてある。
【０００９】
次に、各部材の構造について詳述する。横材１は、図３に示すように、内側部材１１と外側部材１２からなる。内側部材１１は、アルミ製の押出形材からなり、断面略コ字形であって、縦見込材４の反対側（前側の横材１においては前側、後側の横材１においては後側）に向けて開口しており、上面及び下面の縦見込材４側端部に、長手方向に沿って延びる係合溝１３を形成してある。また、外側部材１２は、アルミ製の押出形材からなり、断面略コ字形で内側部材１１よりも一回り大きく、縦見込材４側（前側の横材１においては後側、後側の横材１においては前側）に向けて開口しており、内側面の上下の縦見込材４側端部に、長手方向に沿って延びる係合爪１４を形成してある。そして、図３及び図４に示すように、内側部材１１を左右に並んだ各縦見込材４の見込材部３の前端又は後端に当接させ、開口側からネジを挿入して各縦見込材４にネジ止めし、さらに内側部材１１の開口側から外側部材１２を被せ、外側部材１２の係合爪１４を内側部材１１の係合溝１３に係合させて固定してある。こうして、横材１の外観は断面略正方形の角棒形状となり、さらに左右の端部には、断面形状と略同じ大きさのキャップ１５を嵌めて開口部を塞いである。一方、縦見込材４は、アルミ製であって、縦材部２と見込材部３を鋳造により一体成形したものであり、縦材部２と見込材部３は、何れも横材１と略同じ太さの各棒形状である。なお、図１、図２及び図４に示すように、一部の縦見込材４（一つ置きに配置）においては、下端の見込材部３の下面から下方に延びる脚部４１を形成してあり、脚部４１を設置面に埋め込んで、パネル体を立設してある。また、ユニットの左右両端の縦見込材４の見込材部３には、左右方向に貫通するネジ孔を形成してあり、図２に示すように複数のユニットを左右に並べる際には、ネジ孔にネジを通して、隣接する縦見込材４の見込材部３同士をネジ止めする。ここで、図２及び図４に示すように、ユニットの左右両端の縦見込材４においては、縦材部２の左右幅が、他の縦見込材４の縦材部２の左右幅の半分になっており、ユニットを左右に連設した際に、左右のユニットの端部の縦見込材４の縦材部２同士が重なって、他の縦見込材４の縦材部２と幅が揃うようになっている。一方、ユニットの左右両端の縦見込材４の見込材部３の左右幅は、他の縦見込材４の見込材部３の左右幅と同じである。これは、ネジ止め部分の強度を確保するためであり、見込材部３は正面から見えないので、意匠上の影響は小さい。さらに、図４に示すように、脚部４１を有さない縦見込材４（一つ置きに配置されるが、ユニットの左右両端の縦見込材４は除く）において、下端の見込材部３の左右幅が、他の見込材部３の左右幅の二倍になっている。そして、この見込材部３の前後に当接する横材１（内側部材１１）を、左右二点でネジ止めしてある（他の部分ではすべて一点でネジ止めしてある）。このように、横材１を縦見込材４（見込材部３）に二点でネジ止めする部分を設けることで、横材１に対して縦見込材４が回転してパネル体の全体が平行四辺形状に歪むことを防いでいる。また、ユニットを左右に連設すると、左右のユニットの端部の縦見込材４の下端の見込材部３同士が重なって、見かけ上、左右幅が二倍になるので、パネル体の下端において、等倍幅の見込材部３と二倍幅の見込材部３が交互に並ぶ。
【００１０】
続いて、図５に基づき、このパネル体の第一実施形態の使用例として、住宅の敷地と道路の境界を仕切るフェンスとして用いた場合を示す。パネル体には、ポスト５１、表札５２及び照明５３を取り付けてある。何れも、横材１と縦材部２と見込材部３で形成される直方体形の空間部Ｓと同じ大きさ又は左右幅が半分の大きさの直方体形状となっており、空間部Ｓに挿入して固定するだけで容易に取り付けることができる。また、前後に隣接する横材１及び左右に隣接する見込材部３に板材５４を渡し掛け、その上に植木鉢５６を載置してある。さらに、横材１にフック５５を掛けて、植木鉢５６を吊り下げてある。これらの板材５４やフック５５の取り付けも容易である。このように、本発明のパネル体の第一実施形態によれば、容易に種々のアイテムを取り付けることができる。そして、このパネル体は、視線が遮断されないので圧迫感がなく、風通しもよい。
【００１１】
また、縦見込材４が縦材部２と見込材部３からなるクランク部Ｃを上下方向に複数有するものであるから、縦材部２が各所において前後に一本ずつしか配置されず、縦材部２の本数が少なくて済むので、費用を抑えられる。この点について、図１３に示す第一比較例と比較して説明する。第一比較例は、横材１０１と、縦材１０２と、見込材１０３からなり、第一実施形態と同じ大きさの空間部Ｓを有し、空間部Ｓのすべての辺に横材１０１、縦材１０２又は見込材１０３が位置するように構成したもので、縦材１０２が各所において前後に二本ずつ配置されている。図１に示す第一実施形態と図１３に示す第一比較例は同じ幅のユニットであるが、第一実施形態は縦材部２が二十八本であるのに対し、第一比較例は縦材１０２が三十六本であり、第一実施形態の方が、縦材部２が少ない。そして、第一実施形態においては、上下に隣接する縦材部２が互い違いに配置され、左右に並ぶ縦材部２も互い違いに配置されるので、剛性が高い。この点について、図１４に示す第二比較例と比較して説明する。第二比較例は、第一実施形態と同じ横材２０１及び縦見込材２０４（縦材部２０２及び見込材部２０３）を備えるが、左右に並ぶ縦材部２０２の前後位置をすべて揃えてあり、荷重を受けた際、上下の各段において荷重が縦材部２０２の位置する前側又は後側に集中してしまう。一方、第一実施形態のように上下の各段において縦材部２を前後に配置してあれば、荷重が前後に分散するので、より大きな荷重に耐えられる。
【００１２】
さらに、第一実施形態においては、縦材部２と見込材部３が鋳造により縦見込材４として一体に形成されている。すなわち、このパネル体は、横材と、縦材と、見込材を備え、横材が、前後かつ上下に並んでおり、見込材が、前後の横材同士を連結していて、上下かつ左右に並んでおり、縦材が、上下に隣接する見込材の前端同士及び／又は後端同士を連結しており、左右に隣接する縦材の前後位置が異なる部分を有しており、上下に並ぶ縦材（縦材部）と見込材（見込材部）が鋳造により一体成形されているものである。このように、縦材部２と見込材部３が一体なので、より剛性が高く、組立性も良い。そして、縦材部２と見込材部３（縦見込材４）は鋳造により一体成形されるので、複雑な形状であっても容易に製造できる。
【００１３】
また、第一実施形態においては、脚部４１を設けた縦見込材４が設置面に固定され、パネル体の全体を立設支持する支柱として用いられている。すなわち、このパネル体は、横材と、縦材と、見込材を備え、横材が、前後かつ上下に並んでおり、見込材が、前後の横材同士を連結していて、上下かつ左右に並んでおり、縦材が、上下に隣接する見込材の前端同士及び／又は後端同士を連結しており、左右に隣接する縦材の前後位置が異なる部分を有しており、上下に並ぶ縦材（縦材部）と見込材（見込材部）が一体成形されて縦見込材を形成しており、少なくとも一部の縦見込材が支柱として用いられているものである。このように、縦見込材４を支柱として用いることで、別途視界を妨げるような支柱を設ける必要がなく、抜け感があり、ブロックの輪郭が馬目地状に途切れることなく連続する意匠となる。
【００１４】
次に、パネル体の第二実施形態について、図６に基づき説明する。第二実施形態も、横材１と、縦見込材４（縦材部２及び見込材部３）からなるものであって、第一実施形態とは、設置面への固定方法が異なる。すなわち、第二実施形態は、縦見込材４が脚部を有しておらず、代わりに設置金具６を用いる。設置金具６は、断面Ｚ字状で、上下に段違いの上側水平部６１と下側水平部６２を有しており、上側水平部６１を、パネル体の下端の前後の横材１の上面に当接させてあり、下側水平部６２を、前後の横材１の間の設置面に当接させてある。そして、下側水平部６２に形成したボルト孔にアンカーボルト６３を挿入し、アンカーボルト６３を設置面に埋め込んで、パネル体を立設してある。このパネル体の第二実施形態も、第一実施形態と同様の作用効果を奏するものである。
【００１５】
次に、パネル体の第三実施形態について、図７に基づき説明する。第三実施形態も、横材１と、縦見込材４（縦材部２及び見込材部３）からなるものであって、第一実施形態と同じ構成のものに、さらに壁面体７を設けたものである。壁面体７は、一部の縦見込材４（図７の例では、左端から三番目と五番目の縦見込材４）の、上下に隣接する見込材部３の間に嵌め込んである。壁面体７を取り付ける方法は、見込材部３や縦材部２に接着やネジ止めするものであってもよいし、見込材部３や縦材部２の長手方向に沿って形成した溝に挿入するものであってもよい。また、壁面体７の素材はどのようなものであってもよい。さらに、壁面体７を設ける位置は自在に選択できる。このパネル体の第三実施形態も、第一実施形態と同様の作用効果を奏するものであって、さらに、壁面体７を設けたことで、より剛性が高くなっている。また、壁面体７に種々の色彩や模様のものを用いることで、意匠性を向上させることもできる。
【００１６】
次に、パネル体の第四実施形態について、図８に基づき説明する。第四実施形態も、横材１と、縦見込材４（縦材部２及び見込材部３）からなるものであって、第一実施形態とは、縦見込材４の高さが揃っていない点が異なる。すなわち、第四実施形態は、七本の縦見込材４のうち、左側の四本の縦見込材４が、他の縦見込材４よりも一段（縦材部２一本分）高くなっており、その上端の見込材部３の前端部と後端部に、他の横材１の半分の長さの横材１ａを取り付けてある。このパネル体の第四実施形態も、第一実施形態と同様の作用効果を奏するものであって、さらに、左右にわたって高さが異なる変化のある意匠とすることができる。また、たとえばパネル体の一部分だけ高さを高くして、照明を高所に取り付けるといったことも可能である。なお、さらに高さの異なる複数種類の縦見込材４を用いて、高さを三段階以上変化させてもよい。
【００１７】
次に、パネル体の第五実施形態について、図９に基づき説明する。第一実施形態が、縦材部と見込材部を一体成形した縦見込材を有するものであるのに対し、第五実施形態は、図中の二点鎖線で示すように、横材部（横材）１と縦材部（縦材）２を一体成形した見付面材８を有する。見付面材８は、横材部１と縦材部２からなる長方形の枠を馬目地状に並べた形状であり、これを前後に二枚有している。ただし、前後の見付面材８は、横材部１と縦材部２からなる長方形の枠が、前後の見付面材８同士で、長方形の左右幅の半分だけ左右にずれている（本実施形態の見付面材８は、縦材部２を上下に四段（偶数段）有しており、前後の見付面材８は同じ部材を上下反転させて用いている）。そして、前後の見付面材８の横材部１と縦材部２の交点同士を、前後に延びる見込材３により連結してある。ただし、パネル体の上端と下端においては、前後の何れかにのみ横材部１と縦材部２の交点が存在し、その対向する位置には横材部１のみが存在する。このように構成したパネル体の第五実施形態は、第一実施形態とは組み立て方が異なるが、組み立てた状態における各部材（横材部（横材）１、縦材部（縦材）２及び見込材（見込材部）３）の本数や位置関係は、第一実施形態と同じであり、上下に隣接する縦材部２の前後位置が互い違いであり、左右に隣接する縦材部２の前後位置も互い違いである。なお、見付面材８や見込材３はどのように製造したものであってもよいが、たとえば見付面材８はアルミ製の鋳物とし、見込材３はアルミ製の押出形材とすることができる。このパネル体の第五実施形態も、第一実施形態と同様に、横材部１と縦材部２と見込材３とで、ブロック塀のコンクリートブロックの輪郭をかたどっており、輪郭内に空間部Ｓを有していて、容易に種々のアイテムを取り付けることができる。また、視線が遮断されないので圧迫感がなく、風通しもよい。さらに、前後の見付面材８が左右にずれており、縦材部２が各所において前後に一本ずつしか配置されず、縦材部２の本数が少なくて済むので、費用を抑えられる。そして、上下に隣接する縦材部２が互い違いに配置され、左右に並ぶ縦材部２も互い違いに配置されるので、剛性が高い。さらに、横材部１と縦材部２が見付面材８として一体に形成されているので、より剛性が高く、組立性も良い。
【００１８】
次に、パネル体の第六実施形態について、図１０に基づき説明する。第六実施形態も、横材１と、縦見込材４（縦材部２及び見込材部３）からなるものであって、第一実施形態とは、縦見込材４の前後方向の向きが異なる。すなわち、第一実施形態においては、左右に隣接する縦見込材の前後方向の向きが逆向きになるようにしてあり、上下の各段において、左右に隣接する縦見込材の縦材部の前後位置が異なっていたが、第六実施形態においては、左右に並ぶ七本の縦見込材４のうち、左から一本目、四本目及び七本目の縦見込材４が同じ向きであり、二本目、三本目、五本目及び六本目の縦見込材４が逆向きになっている。よって、たとえば最上段においては、縦材部２（左側から縦材部２ａ〜縦材部２ｇ）の前後位置が、左側から、前、後、後、前、後、後、前、という配置になり、隣接する各縦材部２ａ〜２ｇのうち、一本目の縦材部２ａと二本目の縦材部２ｂの前後位置が異なっている。また同様に、三本目の縦材部２ｃと四本目の縦材部２ｄ、四本目の縦材部２ｄと五本目の縦材部２ｅ、六本目の縦材部２ｆと七本目の縦材部２ｇの前後位置もそれぞれ異なっている。そして、図中のクロスハッチングで示すように、横材１と、縦材部２と、見込材部３とで囲まれた直方体形の空間部Ｓが、第一実施形態の場合よりも大きなものとなる。なお、縦見込材４の前後方向の向きについては、一例を示したもので、これ以外の配置パターンのものでもよく、左右に並ぶ縦見込材４の縦材部２の前後位置が異なる部分があればよい（すなわち、左右に隣接する縦材部（縦材）２の前後位置が互い違いである部分を有していればよく、図１４に示す第二比較例のように、左右に並ぶ縦材部２０２の前後位置がすべて揃っているものでなければよい）。このパネル体の第六実施形態も、第一実施形態と同様に、容易に種々のアイテムを取り付けることができ、また、視線が遮断されないので圧迫感がなく、風通しもよい。さらに、縦材部２が各所において前後に一本ずつしか配置されず、縦材部２の本数が少なくて済むので、費用を抑えられる。そして、上下に隣接する縦材部２が互い違いに配置され、左右に並ぶ縦材部２も互い違いに配置された部分を有するので、剛性が高い。さらに、縦材部２と見込材部３が縦見込材４として一体に形成されているので、より剛性が高く、組立性も良い。
【００１９】
次に、パネル体の第三比較例について、図１１に基づき説明する。第三比較例も、横材１と、縦見込材４ａからなるものであるが、第一実施形態とは縦見込材４ａの構成が異なる。すなわち、第三比較例の縦見込材４ａは、上下に延びる縦材部（前側縦材部２ａ、後側縦材部２ｂ、中央縦材部２ｃ）と、前後に延びる見込材部３ａからなり、見込材部３ａが上下に並んでいる。そして、一つの見込材部３ａの、前後両端部から上下方向一方側に二本の縦材部（前側縦材部２ａ及び後側縦材部２ｂ）が延びており、前後方向中央部から上下方向他方側に一本の縦材部（中央縦材部２ｃ）が延びていて、それぞれ上下に隣接する見込材部３ａと連結している。よって、縦見込材４ａは、見込材部３ａと、その前端に連結された前側縦材部２ａと、中央に連結された中央縦材部２ｃとでクランク部Ｃ１を形成しており（図中の一点鎖線に沿った部分）、見込材部３ａと、その後端に連結された後側縦材部２ｂと、中央に連結された中央縦材部２ｃとでクランク部Ｃ２を形成している（図中の二点鎖線に沿った部分）。両クランク部Ｃ１，Ｃ２は中央縦材部２ｃを共有していて二又状になっており、このようなクランク部Ｃ１，Ｃ２を、上下方向に複数有している。そして、この縦見込材４ａを左右に並べてあるが、左右に隣接する縦見込材４ａ同士で、前側縦材部２ａ及び後側縦材部２ｂと、中央縦材部２ｃが隣接するようにしてある（本実施形態の縦見込材４ａは、縦材部（前側縦材部２ａ、後側縦材部２ｂ、中央縦材部２ｃ）を上下に四段（偶数段）有しており、左右に隣接する縦見込材４ａは同じ部材を上下反転させて用いている）。すなわち、上下の各段において、左右に隣接する縦見込材４ａの縦材部（前側縦材部２ａ及び後側縦材部２ｂと、中央縦材部２ｃ）の前後位置が異なる。さらに、このように左右に並ぶ各縦見込材４ａの見込材部３ａの前端同士を、前側の列の横材１で連結してあり、各縦見込材４ａの見込材部３ａの後端同士を、後側の列の横材１で連結してある。このようにして構成したパネル体は、図中のクロスハッチングで示したように、横材１と、中央縦材部２ｃを挟んだ二組の前側縦材部２ａ及び後側縦材部２ｂと、見込材部３ａとで囲まれた直方体形の空間部Ｓが形成され、この空間部Ｓは第一実施形態の場合と同じ大きさとなる。
【００２０】
次に、パネル体の第七実施形態について、図１２に基づき説明する。第七実施形態も、横材１と、縦見込材からなるものであるが、縦見込材が、構成の異なる第一縦見込材４と第二縦見込材４ａからなる。第一縦見込材４は、第一実施形態の縦見込材と同じものであり、見込材部３が上下に並び、縦材部２が上下に隣接する見込材部３の前端同士又は後端同士を連結していて、上下に隣接する縦材部２の前後位置が互い違いになっている。すなわち、第一縦見込材４は、縦材部２と見込材部３からなるクランク部Ｃ１（図中の斜線部）を上下方向に複数形成した形状となっている。一方、第二縦見込材４ａは、見込材部３ａが上下に並び、一つの見込材部３ａの、前後両端部から上下方向一方側に二本の縦材部（前側縦材部２ａ及び後側縦材部２ｂ）が延びており、後端部から上下方向他方側に一本の縦材部（後側縦材部２ｃ）が延びていて、それぞれ上下に隣接する見込材部３ａと連結している。よって、第二縦見込材４ａは、見込材部３ａと、その前端に連結され上下方向一方側に延びる前側縦材部２ａと、後端に連結され上下方向他方側に延びる後側縦材部２ｃとでクランク部Ｃ２を形成しており（図中の斜線部）、このようなクランク部Ｃ２を上下方向に複数有している。また、後端部においては、後側縦材部２ｂ，２ｃが上端から下端まで直線状に連なっている。さらに、第二縦見込材４ａの下端の見込材部３ａの下面から下方に延びる脚部４１を形成してあり、脚部４１を設置面に埋め込んで、パネル体を立設してある。そして、これらの第一縦見込材４及び第二縦見込材４ａを左右に交互に並べてあるが、第二縦見込材４ａの前側縦材部２ａ及び後側縦材部２ｂの左右には、第一縦見込材４の後側の縦材部２が位置するようにしてあり、第二縦見込材４ａの後側縦材部２ｃの左右には、第一縦見込材４の前側の縦材部２が位置するようにしてある。すなわち、上下の各段において、左右に隣接する第一縦見込材４及び第二縦見込材４ａの縦材部の前後位置が異なる部分を有する（上から一段目及び三段目においては、第一縦見込材４の縦材部２が前側に位置しており、左右に隣接する第二縦見込材４ａの後側縦材部２ｃと前後位置が異なる。また、二段目及び四段目においては、第一縦見込材４の縦材部２が後側に位置しており、左右に隣接する第二縦見込材４ａの後側縦材部２ｂとは前後位置が同じであるが、前側縦材部２ａとは前後位置が異なる）。さらに、このように左右に並ぶ第一縦見込材４及び第二縦見込材４ａの見込材部３，３ａの前端同士を、前側の列の横材１で連結してあり、見込材部３，３ａの後端同士を、後側の列の横材１で連結してある。このように構成した第七実施形態は、第一実施形態において、脚部４１を有する縦見込材４に、さらに後側縦材部２ｂを追加した構成といってもよい。また、図中のクロスハッチングで示したように、横材１と、第一縦見込材４の前側の縦材部２及び見込材部３とで囲まれた直方体形の空間部Ｓ１が形成され、さらに、横材１と、第二縦見込材の前側縦材部２ａ、後側縦材部２ｂ及び見込材部３ａとで囲まれた直方体形の空間部Ｓ２が形成されており、これらの空間部Ｓ１，Ｓ２は第一実施形態の場合と同じ大きさであって、これらの空間部Ｓ１，Ｓ２を馬目地状に積み上げた形状となっている。このパネル体の第七実施形態も、第一実施形態と同様の作用効果を奏するものであって、さらに、脚部４１を有する第二縦見込材４ａにおいて、後側縦材部２ｂ，２ｃが上端から下端まで直線状に連なっているので、より剛性が高くなっており、支柱としてパネル体の全体をより堅固に立設支持できる。また、このように後側だけに補強のための部材（後側縦材部２ｂ）を設けたので、パネル体の前後が分かりやすく、施工性がよい。なお、このパネル体の第七実施形態を、住宅の敷地と道路の境界を仕切るフェンスとして用いる場合には、後側（後側縦材部２ｂ，２ｃを有する側）を敷地側にする方が、意匠上好ましい。
【００２１】
本発明は、上記の実施形態に限定されない。たとえば、縦見込材を有する場合において、左右に並ぶ縦見込材同士の間隔が等間隔でなくてもよい。また、横材と縦材と見込材を、すべて別体のものとしてそれぞれ連結するものであってもよいし、すべて一体に形成するものであってもよい。さらに、パネル体に対するアイテムの取り付け方法は、どのようなものであってもよく、たとえば、横材や見込材に渡し掛ける板材をパネル体の側面から側方に突出させて、種々のアイテムを載置してもよい。また、このパネル体のユニットを左右に連設してフェンスとして用いることができるほか、一つのユニットをより左右に長くしてもよいし、短くして門柱などに用いてもよい。さらに、コンクリートブロックなどからなるブロック塀の一部を、このパネル体に置き換えてもよく、その場合、ブロック塀を構成するブロックと、パネル体の横材と縦材と見込材からなる空間部の大きさを揃えることが望ましい。
【符号の説明】
【００２２】
１  横材
２  縦材部（縦材）
３  見込材部（見込材）
４  縦見込材
Ｃ  クランク部
【図１】
0006464014.tif 000002
【図２】
0006464014.tif 000003
【図３】
0006464014.tif 000004
【図４】
0006464014.tif 000005
【図５】
0006464014.tif 000006
【図６】
0006464014.tif 000007
【図７】
0006464014.tif 000008
【図８】
0006464014.tif 000009
【図９】
0006464014.tif 000010
【図１０】
0006464014.tif 000011
【図１１】
0006464014.tif 000012
【図１２】
0006464014.tif 000013
【図１３】
0006464014.tif 000014
【図１４】
0006464014.tif 000015